(57)【特許請求の範囲】
【請求項１】
固定環の内側に設けられた駆動環を回転させつつ光軸方向に移動させる回転移動によりレンズ群どうしの群間隔を変えて変倍を行うズームカメラにおけるズーミング領域調整基準検出用スイッチ機構であって、
前記固定環に設けられて、前記駆動環の移動量を基準位置からのパルスカウント数で測定する際の、前記基準位置を検出するための基準スイッチと、
前記固定環に回動自在に設けられ、回動することによって一端部が前記基準スイッチに接離する回転レバーと、
前記回転レバーと固定環との間に設けられ、該回転レバーをその一端部が前記基準スイッチに当接する方向に付勢する付勢部材と、
前記駆動環に設けられ、当該駆動環の回転移動によって前記回転レバーの係合部に係脱自在に係合するカム部とを具備してなり、
前記回転レバーの回動中心と回転レバーの一端部との間の距離が、回転レバーの回動中心と回転レバーの係合部との間の距離より長く設定されており、
前記基準スイッチは、回動レバーの一端部が当接することによりONとなって、前記駆動環の基準位置からの移動量をパルスカウント数で測定させ始め、かつ、前記回動レバーの一端部が離間することによりOFFとなるように構成され、
さらに、前記固定環の内周部先端には、前記駆動環が先端側に回転移動してきた際に、前記カム部の端面が当接するストッパ部が形成されており、
前記カム部の端面が前記ストッパ部に当接した状態をストッパ位置として、前記基準スイッチがOFFする位置まで前記駆動環を繰り込む間パルスカウントを行うことを特徴とするズーミング領域調整基準検出用スイッチ機構。
【発明の詳細な説明】
【０００１】
【産業上の利用分野】
本発明は、ズームカメラにおけるズーミング領域調整基準を検出するための検出用スイッチ機構に関する。
【０００２】
【従来の技術】
ズームカメラにおいては、その焦点距離の変化に応じて開放Ｆ値が変化するタイプが一般的であり、ズーミングに応じて露出制御（ＡＥ）やフラッシュマチック（ＦＭ）の制御を変化させなければならない。
このようなズームカメラの焦点距離情報の認識は、例えば、鏡胴（駆動環）の周方向に沿ってエンコーダ等を貼り付け、このエンコーダで現在の焦点距離を識別するものがあるが、この場合、エンコーダを貼り付けるのに手間がかかるとともに、エンコンダーの貼り付け位置に、カメラ間でバラツキが生じてしまい、そのため、カメラ１台ごとの調整に手間がかかるという問題がある。
【０００３】
一方、ズームカメラのズーミング量の制御を、ある基準位置からのパルスカウント数で識別するものがある。この制御では前記基準位置を決定する基準スイッチをONすることによって基準位置からのパルスカウント数を求め、これによって現在の焦点距離（駆動環の繰り出し量）を識別するようにしている。基準スイッチをON／OFFする場合、例えば、駆動環に作動部を形成し、該駆動環を回転移動させることにより、前記作動部で固定環に設けられた基準スイッチを押圧することにより行っている。
【０００４】
しかし、この場合においても、駆動環の組立等のカメラ組立時においてバラツキが生じ、また各カメラのレンズ毎にもさらに、スイッチのON／OFFタイミングにもバラツキが生じているため、カメラ毎に、基準スイッチのON／OFF位置にバラツキが生じてしまって、実際のレンズ焦点距離に対してカメラ側の認識が異なり、その結果、使用カム領域を越えた動きやレンズ性能の劣化、あるいはＡＥ、ＦＭ精度への悪影響などが生じることがあった。
そこで、前記パルスカウント値の制御に対し、レンズ駆動等の調整データ等を記憶している不揮発性メモリであるＥ2ＰＲＯＭに補正値を持たせ、組込後において、設定パルス数の駆動に対する実駆動の差を、その補正値を変更することで、対応するようにしているものがある。
【０００５】
【発明が解決しようとする課題】
しかしながら、上記補正値を変更する場合、カメラ１台毎調整しようとするとき、例えばワイド端での焦点距離の実測定をしたり、あるいは最後群のレンズ位置をカメラのフィルム面から測定をするなど、設計値との比較を行う必要があり、測定調整をカメラ毎に行うには手間がかかりすぎるという問題があった。
【０００６】
本発明は上記事情に鑑みてなされたもので、ズームカメラのレンズ繰り出し量（駆動環の繰り出し量）制御の基準位置のバラツキを許容限度値以内に収めて、カメラ毎の基準位置の調整を省くことができるズーミング領域調整基準検出用スイッチ機構を提供することを目的としている。
【０００７】
【課題を解決するための手段】
上記目的を達成するために発明の請求項１のズーミング領域調整基準検出用スイッチ機構は、固定環に設けられて、駆動環の移動量を基準位置からのパルスカウント数で測定する際の、前記基準位置を検出するための基準スイッチと、前記固定環に回動自在に設けられ、回動することによって一端部が前記基準スイッチに接離する回転レバーと、該回転レバーと固定環との間に設けられ、回転レバーをその一端部が前記基準スイッチに当接する方向に付勢する付勢部材と、前記駆動環に設けられ、当該駆動環の回転移動によって前記回転レバーの係合部に係脱自在に係合するカム部とを具備してなり、前記回転レバーの回動中心と回転レバーの一端部との間の距離を、回転レバーの回動中心と回転レバーの係合部との間の距離より長く設定し、
前記基準スイッチを、回動レバーの一端部が当接することによりONとなって、前記駆動環の基準位置からの移動量をパルスカウント数で測定させ始め、かつ、前記回動レバーの一端部が離間することによりOFFとなるように構成し、
さらに、前記固定環の内周部先端に、前記駆動環が先端側に回転移動してきた際に、前記カム部の端面が当接するストッパ部を形成し、
前記カム部の端面が前記ストッパ部に当接した状態をストッパ位置として、基準スイッチがOFFする位置まで駆動環を繰り込む間パルスカウントを行うものである。
【０００９】
【作用】
請求項１のズーミング領域調整基準検出用スイッチ機構にあっては、カメラ収納状態では、駆動環に設けられたカム部が、固定環に設けられた回動レバーの係合部に係合して、付勢部材の付勢力に抗して該回動レバーの回転を阻止して、その一端部を基準スイッチから離間させて該基準スイッチをOFF状態とし、この状態から、駆動環を所定量繰り出すことによって、前記カム部が回転レバーから外れ、該回転レバーが付勢部材の付勢力によって回動してその一端部が基準スイッチに当接して、該基準スイッチをON状態とする。
一方、駆動環を収納状態に向けて繰り込むと、カム部が回動レバーの係合部に係合し、付勢部材の付勢力に抗して回動レバーを回転させてその一端部を基準スイッチから離間させて該基準スイッチをOFF状態として、収納状態に至る。
【００１０】
つまり、駆動環の回転移動によって、カム部が回転移動して係合部に係脱することによって、回動レバーが、付勢部材の付勢力または付勢力に抗して回動してその一端部が基準スイッチに接離することによって、基準スイッチがON／OFFとなるが、この際、回動レバーの一端部が係合部より回転レバーの回動中心から遠い位置にあるので、回転レバーの回転によって、その一端部が係合部より多く移動する。よって、駆動環の回転移動に伴うカム部の移動による係合部の動きより基準スイッチが敏感に作動するので、基準スイッチのON／OFFのタイミングが上がり、したがって、ズームカメラのレンズ繰り出し量（駆動環の繰り出し量）制御の基準位置のカメラ毎のバラツキを許容限度値以内に収めることができる。
【００１１】
また、収納状態から駆動環を繰り出して、回動レバーの一端部が基準スイッチに当接すると、該基準スイッチがONとなって、駆動環の基準位置からの移動量をパルスカウント数で測定し始める。したがって、基準スイッチがONしてから所定パルス数分だけカウントしたときワイド端となり、また、このワイド端から所定パルス数分だけカウントしたときテレ端となる。一方、駆動環を収納状態に向けて繰り込むと、前記回動レバーの一端部が所定の位置で基準スイッチから離間してOFFとなる。
さらに、駆動環が先端側に回転移動してきた際に、カム部の端面がストッパ部に当接することによって、駆動環のそれ以上の回転移動が阻止されて、固定環からの逸脱が防止される。
このとき、基準スイッチはONとされており、ストッパ部にカム部が当接した状態をストッパ位置として、基準スイッチがOFFする位置まで駆動環を繰り込む間パルスカウントを行う。
【００１２】
【実施例】
以下、図面を参照して本発明のズーミング領域調整基準検出用スイッチ機構の一実施例を説明する。
まず、本発明に係るズーミング領域調整基準検出用スイッチ機構を説明する前に、当該スイッチ機構が設けられたズームカメラの概略構成を説明する。
すなわち、このズームカメラは、図５に示すように、固定環１の内側に設けられた駆動環２を回転させることにより第１レンズ群３および第２レンズ群４をそれぞれ光軸方向に摺動させるとともに、前記レンズ群３，４どうしの群間隔を変えて変倍を行う２群タイプのズームカメラである。
【００１３】
前記固定環１は図示しないカメラ本体の前面に取付けられるもので、円筒状に形成されている。固定環１の外周部には、当該固定環１をカメラ本体に取付けるための取付部５が形成されるとともに、前記駆動環２にモータの駆動力を伝達するためのギア（図示略）が取付けられている。また、固定環１の内周面には、内ヘリコイドネジ６が形成されるとともに、軸方向に延びるキー溝７が形成されている。
【００１４】
前記固定環１の内側には、前記駆動環２が挿通されている。この駆動環２は円筒状のもので、その基端外周面にはギア部８とヘリコイドネジ９が形成されている。ギア部８には、前記モータの駆動力を伝達するためのギアが噛合するようになっており、該モータの駆動力によってギア部８を介して駆動環２が軸回りに回転されるようになっている。また、前記ヘリコイドネジ９は前記固定環１に形成された内ヘリコイドネジ６に螺合しており、これによって駆動環２は回転しつつ光軸方向に移動するようになっている。
また、前記駆動環２の内周面には、内ヘリコイドネジ１０が形成されるとともに、軸方向に延びるカム環駆動溝１１が形成されている。
【００１５】
前記駆動環２の内側には、移動枠１２が挿通されている。この移動枠１２は二重円筒状に形成されたもので、外枠１３と、この外枠１３の内側に所定間隔を隔てて外枠１３と同軸に形成された内枠１４とによって構成されている。この内枠１４は、その基端部が外枠１３の基端部から突出しており、先端部は外枠１３の軸方向中央部において、外枠１３の内周面に連結されている。
また、前記内枠１４には、軸方向に延びる３条の直進溝１５…が周方向に等間隔で形成されるとともに、後述する止めリング１８と嵌合する３つの孔１６…が周方向に等間隔で形成されている。さらに、前記外枠１３の基端部外周面にはヘリコイドネジ１７が形成されており、このヘリコイドネジ１７は前記駆動環２に形成された内ヘリコイドネジ１０に螺合されている。
【００１６】
前記移動枠１２の内枠１４には、カム環２０が回転自在に外挿されたうえで、止めリング１８が、その内周側に形成された爪１８ａ…を前記内枠１４に形成された孔１６…に嵌合することにより、取付けられている。したがって、カム環２０は止めリング１８によって、内枠１４からの抜け出が防止され、移動枠１２とともに光軸方向に摺動するようになっている。
前記カム環２０は円筒状のものであり、その基端部外周面にはボス２１が突出形成されている。このボス２１は前記駆動環２に形成されたカム環駆動溝１１に係合されており、これによって、カム環２０は駆動環２とともに回転するようになっている。
また、カム環２０の内周面には、その先端部から基端部に向けて斜めに延びる３条のカム溝２２が周方向に等間隔で形成されている。
【００１７】
さらに、前記移動枠１２の内枠１４には、内側に前記第２レンズ群４が嵌め込まれた円筒状の第２レンズ枠２３が挿通されている。この第２レンズ枠２３の外周面には３つの突起２４…が周方向に等間隔で形成されており、各突起２４の上面にはカムフォロアピン２５が形成されている。
前記突起２４…は前記内枠１４に形成された直進溝１５に光軸方向に摺動自在に係合されており、また、前記カムフォロアピン２５…は前記カム環２０に形成されたカム溝２２…に摺動自在に係合されている。
したがって、前記第２レンズ枠２３（第２レンズ群４）は、カム環２０の回転により、カムフォロアピン２５…がカム溝２２…を相対的に摺動しつつ突起２４が直進溝１５を摺動することによって、光軸方向に摺動するようになっている。
【００１８】
また、前記移動枠１２の外枠１３には、シャッター機構を内蔵したシャッターユニット２６が挿入固定されており、このシャッターユニット２６には、内側に前記第１レンズ群３が嵌め込まれた第１レンズ枠２７が螺合され、さらに、バリアユニット２８が取付けられている。
【００１９】
さらに、前記駆動環２の内側にはキー環３０が、該駆動環２に対して回転可能に挿入されている。このキー環３０は、基端側のリング部３１と、このリング部３１に立設された略円筒状をなすキー部３２とから構成されており、このキー部３２には、前記カム環２０に突出形成されたボス２１の移動範囲を切り欠いてなる切欠部３３が形成され、また、光軸方向に延びる溝３２ａが形成されている。前記リング部３１の外周部には、径方向外側に突出する突出部３４が形成されており、この突出部３４は前記固定環１に形成されたキー溝７に摺動自在に係合されている。これによって、キー環３０は光軸方向には移動自在であるが、回転不能になっている。また、前記移動枠１２の外枠１３の基端部内側には光軸方向に延びるリブ（図示略）が形成されており、このリブが前記キー部３２の溝３２ａに係合することで、移動枠１２の回転が防止されている。
したがって、キー環３０が差し込まれた移動枠１２およびこれに取付けられたシャッターユニット２６、第１レンズ枠２７、第２レンズ枠２３は回転せずに光軸方向に摺動するようになっている。
【００２０】
なお、前記固定環１とカム環２０には、ズームレンズの収納時において、カム環２０を逆転させて第１レンズ群３と第２レンズ群４との群間隔を短くするカム環逆転機構３５が設けられている。
このカム環逆転機構３５は、前記カム環２０の外周部に突出形成されたボス２１と、前記固定環１の基端部に設けられた収納専用カム３６とを備えている。この収納専用カム３６は、固定環１の基端部に形成され、当該固定環１の軸方向内側に突出するもので、駆動環２の回転により固定環１の基端側に向けて回転しつつ移動してきたボス２１に当接して、当該ボス２１をカム環２０の回転してきた方向と逆方向に回転させるようになっている。
【００２１】
次に、本発明に係るズーミング領域調整基準検出用スイッチ機構について説明する。
すなわち、図１〜図３に示すように、前記固定環１の基端部外周面には回転軸４０が形成されている。この回転軸４０は円筒状をなすもので、その内周面には雌ねじが形成されている。前記回転軸４０の外周部には回転レバー４１が回動自在に嵌合されたうえで、ビス４２を前記回転軸４０の雌ねじに螺合することにより、回転軸４０からの抜け出が防止されている。
【００２２】
前記回転レバー４１は略Ｌ字状をなすものでその一端部には、該回転レバー４１が回動することによって後述する基準スイッチ５０に接離する当接部４３が突出形成されている。また、回転レバー４１の他端部にはバネ（付勢部材）４４の一端部が係止されており、このバネ４４の他端部は固定環１の基端部に形成されたピン４５に係止されている。したがって、回転レバー４１はバネ４４によって半時計方向に付勢されている。
【００２３】
また、前記回転レバー４１にはボス４６が下方に突出して形成されており、このボス４６は、固定環１に形成された開口部４７を通して固定環１の内側に突出している。一方、固定環１に挿通されている前記駆動環２には、図２および図３に示すように、カム部４８が形成されており、このカム部４８と前記ボス４６とが当接可能とされている。前記カム部４８は、駆動環２の基端外周面に形成された突条であり、該基端部外周面に形成された前記ヘリコイドネジ９とほぼ平行に形成されている。
【００２４】
また、前記回転レバー４１の回動中心である回転軸４０と回転レバー４１の一端部に形成された当接部４３との間の距離は、回転軸４０とボス４６との間の距離より長く設定されている。したがって、回転レバー４０の回転によって、当接部４３はボス４６より多く移動するようになっている。
さらに、固定環１の内周部先端には、図５および図６に示すように、ストッパ部４９が形成されており、駆動環２が先端側に回転移動してきた際に、カム部４８の端面４８ａがストッパ部４９に当接することによって、駆動環２のそれ以上の回転移動が阻止されて、固定環１からの逸脱が防止されるようになっている。
【００２５】
また、前記固定環１の外周部には、前記回転軸４０と周方向に所定間隔を隔てて基準スイッチ５０が設けられている。この基準スイッチ５０は一対の接片５１，５１を有しており、これら接片５１，５１は、それらの基端部が支持部５２に支持されることで、互いに平行離間して配設されている。
前記支持部５２は取付板５３に固定されている。この取付板５３には取付孔５３ａが形成され、下面には位置決めボス５４が形成されている。また、前記支持部５２の下面には、図２および図３に示すように、位置決めボス５５が形成されている。
【００２６】
一方、固定環１の外周部には取付台５６が形成されており、この取付台５６の上面には取付孔５６ａと、位置決め孔５６ｂ，５６ｃが形成されている。
そして、前記基準スイッチ５０は、取付板５３を取付台５６に載置するとともに、位置決めボス５４，５５をそれぞれ位置決め穴５６ｂ，５６ｃに嵌合し、さらに、ビス５７を取付孔５３ａを通して取付孔５６ａにねじ込むことによって、所定の位置に位置決めされて取付け固定されている。
【００２７】
次に上記構成のズーミング領域調整基準検出用スイッチ機構におけるスイッチ作動について説明する。
まず、カメラ収納状態では、つまり駆動環２を固定環１に繰り込んでいる状態では、図３に示すように、駆動環２に形成されたカム部４８が、回転レバー４１のボス４６に当接して、バネ４４の付勢力に抗して回転レバー４１の半時計方向への回転を阻止して、回動レバー４１の当接部４３を基準スイッチ５０から離間させて該基準スイッチ５０をOFF状態としている。
【００２８】
次に、カメラのメインスイッチをONすると、モータ駆動力によって駆動環２が回転しつつ光軸方向前方に移動し、これに伴ってカム部４８が同方向に回転移動する。カム部４８が所定距離だけ回転移動すると、図２に示すように、カム部４８がボス４６から外れる。すると、回転レバー４１がバネ４４の付勢力によって回転軸４０を支点として半時計方向に回転して、当接部４３が基準スイッチ５０の一方の接片５１に当接してこれを押圧し、接片５１，５１どうしが接触し、基準スイッチ５０がONとなり、パルスカウントが始まる。
【００２９】
そして、図４に示すように、補正値Ｘ3分だけカウントした状態がワイド端位置になり、モータが停止する。
また、変倍領域では、ワイド端位置からＸ2だけパルスカウントされると、テレ端位置となり、やはりモータが停止する。なお、繰り込みのときの動作は上記と逆の動作手順となる。
【００３０】
前記補正値Ｘ3はカメラ毎にバラツキがある値であるが、この補正値Ｘ3を決定するには、以下のようにして行う。
まず、駆動環２を回転移動させて繰り出すと、前記カム部４８の端面４８ａが固定環１の先端部に形成されたストッパ部４９に当接して、駆動環２のそれ以上の回転移動が阻止される。
このとき、前記基準スイッチ５０はONとされており、図４に示すように、このストッパ部４９にカム部４８が当接した状態をストッパ位置として、基準スイッチ５０がOFFする位置まで駆動環２を繰り込む間パルスカウントを行う。このパルスカウント数がＹである。
【００３１】
ここで、テレ端位置はストッパ位置から所定パルスカウント数Ｘ1だけ戻した位置に設定してある。これは、駆動環２の繰り出しの際に、カム部４８の端面４８ａがストッパ部４９に衝突することによって機構が損傷するのを防止するためである。
また、テレ〜ワイド領域（変倍領域）におけるパルスカウント数Ｘ2は設計において決められた値である。したがって、先の測定されたパルスカウント数Ｙから、パルスカウント数Ｘ1 ，Ｘ2を引いた値Ｘ3が基準スイッチからワイド端までの補正値Ｘ3である。
【００３２】
この補正値Ｘ3を、レンズ駆動等の調整データ等を記憶している不揮発性メモリであるＥ2ＰＲＯＭに書き込み。制御回路において電気的に補正してやれば、変倍レンズのズーミング領域調整を行うことができる。
そして、カメラの試作段階等（量産初期段階等）において、前記補正値Ｘ3を求めておき、Ｅ2ＰＲＯＭに最初からこの補正値Ｘ3を書き込んでおけば、バラツキが許容範囲内である限り、量産段階で個々のカメラに対して基準位置の調整を行う必要がなくなるので、低価格なカメラの組立を実現することができる。
【００３３】
【発明の効果】
以上説明したように、本発明の請求項１のズーミング領域調整基準検出用スイッチ機構によれば、駆動環の回転移動によって、駆動環に形成されたカム部が回転移動して回動レバーの係合部に係脱することによって、回動レバーが、付勢部材の付勢力または付勢力に抗して回動してその一端部が基準スイッチに接離することによって、基準スイッチがON／OFFとなるが、前記回動レバーの一端部は、係合部より回転レバーの回動中心から遠い位置にあるので、回転レバーの回転によって、その一端部が係合部より多く移動する。
【００３４】
よって、駆動環の回転移動に伴うカム部の移動による係合部の動きより基準スイッチが敏感に作動するので、基準スイッチのON／OFFのタイミングが上がり、ズームカメラのレンズ繰り出し量（駆動環の繰り出し量）制御の基準位置のカメラ毎のバラツキを許容限度値以内に収めることができるので、カメラ毎の基準位置の調整を省くことができる。したがって、従来に比べ低価格なカメラの組立を実現することができる。
【００３５】
また、収納状態から駆動環を繰り出して、回動レバーの一端部が基準スイッチに当接すると、該基準スイッチがONとなって、駆動環の基準位置からの移動量をパルスカウント数で測定し始め、所定パルス数分だけカウントしたときワイド端となり、また、このワイド端から所定パルス数分だけカウントしたときテレ端となり、一方、駆動環を収納状態に向けて繰り込むと、前記回動レバーの一端部が基準位置で基準スイッチから離間してOFFとなる。したがって、駆動環の繰り出し量の制御を簡単に行うことができる。
【図面の簡単な説明】
【図１】本発明のズーミング領域調整基準検出用スイッチ機構の一実施例を示す分解斜視図である。
【図２】図１に示すズーミング領域調整基準検出用スイッチ機構において、基準スイッチがONとなっている状態を示す平面図である。
【図３】図１に示すズーミング領域調整基準検出用スイッチ機構において、基準スイッチがOFFとなっている状態を示す平面図である。
【図４】図１に示すズーミング領域調整基準検出用スイッチ機構の基準スイッチによる駆動環の移動制御を示す図である。
【図５】図１に示すズーミング領域調整基準検出用スイッチ機が設けられたカメラの分解斜視図である。
【図６】図５におけるＸ円部の拡大図である。
【符号の説明】
１  固定環
２  駆動環
４０  回転軸
４１  回転レバー
４３  当接部（回転レバーの一端部）
４４  バネ（付勢部材）
４６  ボス（係合部）
４８  カム部
５０  基準スイッチ
【図１】
0003676839.tif 000002
【図２】
0003676839.tif 000003
【図３】
0003676839.tif 000004
【図４】
0003676839.tif 000005
【図５】
0003676839.tif 000006
【図６】
0003676839.tif 000007